(57)【要約】【課題】  本発明は、片手での注出操作を容易に実施可能なポンプ付き注出容器、特に、補助部材を取り付けることにより、従来のポンプ付き注出容器を片手操作可能にすることを技術的な課題とするものである。【解決手段】  容器本体の口筒部に有頂円筒状の組付きキャップにより手動押下げポンプを組付け固定したポンプ付き注出容器において、組付きキャップの頂壁の開口部から突出したポンプのステムにノズル筒を延出したノズルヘッドを付設し、組付きキャップにはポンプの押下げ操作において指掛けの機能を発揮する補助部材を装着した構成とし、この補助部材は組付きキャップの円筒状の側周壁に、上方への移動が不能に、外嵌する嵌合周壁部を有し、この嵌合周壁部から外鍔状に係止板片を付設する構成とする。【選択図】  図１
2010155623.tif 000002
【特許請求の範囲】
【請求項１】
容器本体(1)の口筒部に有頂円筒状の組付きキャップ(11)により手動押下げポンプを組付け固定したポンプ付き注出容器であって、前記組付きキャップ(11)の頂壁(12)の開口部(13)から突出したポンプ(8)のステム(9)にノズル筒(6)を延出したノズルヘッド(5)を付設し、前記組付きキャップ(11)にはポンプ(8)の押下げ操作において指掛けの機能を発揮する補助部材(21)を装着した構成とし、前記補助部材(21)は前記組付きキャップ(11)の円筒状の側周壁(14)に、上方への移動が不能に、外嵌する嵌合周壁部(22)を有し、該嵌合周壁部(22)から外鍔状に係止板片(23)を付設する構成としたことを特徴とするポンプ付き注出容器。
【請求項２】
嵌合周壁部(22)の形状を円筒の一部に縦方向にスリット(26)を形成したものとし、補助部材(21)を、組付きキャップ(11)の上方から外嵌可能に構成した請求項１記載のポンプ付き注出容器。
【請求項３】
嵌合周壁部(22)の形状を略半円弧状の平断面形状を有するものとし、補助部材(21)を、組付きキャップ(11)の側周壁(14)に横方向から外嵌可能に構成した請求項１記載のポンプ付き注出容器。
【請求項４】
嵌合周壁部(22)の下端内周面に係止片(25)を付設し、組付きキャップ(11)の側周壁(14)の下端面に係止する構成とした請求項１、２または３記載のポンプ付き注出容器。
【請求項５】
嵌合周壁部(22)の上端部に内鍔状に係止周片(24)を付設し、組付きキャップ(11)の頂壁(12)に係止する構成とした請求項１、２、３または４記載のポンプ付き注出容器。
【請求項６】
ノズル筒(6)の先端部が係止板片(23)の先端部より外側に突出可能に、係止板片(23)の先端部を凹状に基端方向に凹ませた形状とした請求項１、２、３、４または５記載のポンプ付き注出容器。
【発明の詳細な説明】
【技術分野】
【０００１】
本発明は、容器本体の口筒部に手動押下げ式のポンプを組付け固定したポンプ付き注出容器に関する。
【背景技術】
【０００２】
たとえば特許文献１には、容器本体の口筒部に容器本体に収納された内容液を注出する手動押下げポンプを組付きキャップで組付け固定したポンプ付き注出容器に係る発明が記載されている。
【特許文献１】特開平１０−２９６１４０号公報
【発明の開示】
【発明が解決しようとする課題】
【０００３】
この種のポンプ付き注出容器、特に据置きタイプの注出容器では、通常、一方の手でノズルヘッドを押圧しながら、もう一方の手の、手の平で注出される内容液を受け取るようにして注出操作を実施する。
一方で、実際の使用場面では片方の手が塞がった状態で注出操作をする必要がある場合もあり、片手での注出操作を容易に実施可能なポンプ付き注出容器が要望されている。
【０００４】
そこで、本発明は、片手での注出操作を容易に実施可能なポンプ付き注出容器、特に、補助部材を取り付けることにより、従来のポンプ付き注出容器を片手操作可能にすることを技術的な課題とするものである。
【課題を解決するための手段】
【０００５】
上記課題を解決するための手段のうち、本発明の主たる構成は、
容器本体の口筒部に有頂円筒状の組付きキャップにより手動押下げポンプを組付け固定したポンプ付き注出容器において、
組付きキャップの頂壁の開口部から突出したポンプのステムにノズル筒を延出したノズルヘッドを付設し、
組付きキャップにはポンプの押下げ操作において指掛けの機能を発揮する補助部材を装着した構成とし、
この補助部材は組付きキャップの円筒状の側周壁に、上方への移動が不能に、外嵌する嵌合周壁部を有し、この嵌合周壁部から外鍔状に係止板片を付設する構成とする、
と云うものである。
【０００６】
上記構成によれば、手の平が上向きなるようにして親指以外の指先を揃え、人差し指等を組付きキャップの側周壁に外嵌、装着される補助部材の係止板片に下方から当接した状態で、親指でノズルヘッドを押下げることにより、内容液を手の平の上に注出することができ、片手での注出操作を容易に達成することが可能となる。
【０００７】
上記した片手による注出操作では、人差し指等を補助部材の係止板片に下方から当接させることにより、注出容器をしっかりと支持することができる共に、内容液が吐出するノズル筒と、吐出する内容液受け取る手の平の位置関係を安定して維持することができるので、注出操作を安定して実施することができる。
また、親指と人差し指等によりノズルヘッドと係止板片を挟持するような状態でノズルヘッドに押圧力を効果的に作用させることができノズルヘッドの押し下げを比較的小さな力で達成することが可能となる。
【０００８】
また、上記構成の補助部材は別部材として組付きキャップに外嵌状に装着するものであり、従来のポンプ付注出容器に、その構成部材の形状を変更することなく装着して使用することができる。
【０００９】
本発明の他の構成は、上記主たる構成において、嵌合周壁部の形状を円筒の一部に縦方向にスリットを形成したものとし、補助部材を、組付きキャップの上方から外嵌可能に構成する、と云うものである。
【００１０】
上記構成によれば、嵌合周壁部の形状を円筒状とすることにより補助部材をしっかりと組付きキャップに装着することができると共に、スリットを利用してこの嵌合周壁部を拡径しながら、組付きキャップの上方からその側周壁に容易に外嵌することが可能となる。
また、組付きキャップの側周壁の径と嵌合周壁部の径が僅かに異なる場合でも容易に外嵌することができる。
また、上方への移動を不能にする手段として、たとえば後述するように嵌合周壁部の下端内周面に係止片を付設するような場合にも、上記のようにスリットを利用して嵌合周壁部を拡径しながら、側周壁に容易に外嵌することが可能となる。
【００１１】
本発明のさらに他の構成は、上記主たる構成において、嵌合周壁部の形状を略半円弧状の平断面形状を有するものとし、補助部材を、組付きキャップの側周壁に横方向から外嵌可能に構成する、と云うものである。
【００１２】
上記構成に構成によれば、補助部材を組付きキャップの側周壁に横方向から外嵌できるので、容器本体の口筒部に、組付きキャップによりノズルヘッドを装着したポンプを組付け固定した状態でも、補助部材を組付きキャップの側周壁に直接組み付けることが可能となる。
ここで、上記構成において、嵌合周壁部の形状を略半円弧状の平断面形状を有するものとしているが、補助部材が装着のし易いことと、装着後に横方向に外れないことのバランスを考慮してこの円弧の中心角度は１８０°〜２６０°程度とするのが好ましい。
すなわち、１８０°未満では横方向に外れ易いし、２６０°を越えると、横方向から側周壁に直接組み付けることが難しくなる。
【００１３】
本発明のさらに他の構成は、上記主たる構成において、嵌合周壁部の下端内周面に係止片を付設し、組付きキャップの側周壁の下端面に係止する構成とする、と云うものであり、これは嵌合周壁部を組付きキャップの側周壁に対し上方への移動が不能に外嵌するための具体的な手段の一つである。
【００１４】
本発明のさらに他の構成は、上記主たる構成において、嵌合周壁部の上端部に内鍔状に係止周片を付設し、組付きキャップの頂壁に係止する構成とする、と云うものであり、このような構成とすることにより、補助部材の組付きキャップへの装着状態をより安定したものとすることが可能となる。
【００１５】
本発明のさらに他の構成は、上記主たる構成において、ノズル筒の先端部が係止板片の先端部より外側に突出可能に、係止板片の先端部を凹状に基端方向に凹ませた形状とする、と云うものである。
【００１６】
内容液の粘度によってはノズル筒の先端から内容液が下方に落下する場合があるが、このような場合にも、上記構成によれば内容液が係止板片に当たって付着するのを防止することができ、気持ちよく使用することが可能となる。
【発明の効果】
【００１７】
本発明の主たる構成を有するものにあっては以下に示す効果を奏する。
すなわち、人差し指等を組付きキャップの側周壁に外嵌、装着される補助部材の係止板片に下方から当接した状態で、親指でノズルヘッドを押下げることにより、内容液を手の平の上に注出することができ、片手での注出操作を容易に達成することができる。
そして、人差し指等を補助部材の係止板片に下方から当接させることにより、注出容器をしっかりと支持することができる共に、内容液が吐出するノズル筒と、吐出する内容液を受け取る手の平の位置関係を安定して維持することができるので、注出操作を安定して実施することができる。
【００１８】
また、補助部材は別部材として組付きキャップに外嵌状に装着するものであり、従来のポンプ付注出容器に、その構成部材の形状を変更することなく装着して使用することができる。
【発明を実施するための最良の形態】
【００１９】
以下、本発明の実施の形態を実施例に沿って図面を参照しながら説明する。
図１〜図４は本発明のポンプ付き注出容器の第１実施例を示すものであり、図１は斜視図、図２は図１の中の注出容器において補助部材２１を装着していない状態（すなわち従来の注出容器に相当する）を示す斜視図、図３は補助部材２１の斜視図、そして図４は組付きキャップ１１と補助部材２１との嵌合状態を示す縦断面図である。
なお、ポンプに使用されるスプリングを除いて、各部材は合成樹脂製である。
【００２０】
図２に示される、補助部材２１が装着されていない注出容器は従来より一般的に使用されているポンプ付注出容器の一例で、容器本体１の口筒部（図示省略）に、組付きキャップ１１により手動押し下げ式のポンプ８を組付け固定したものであり、組付きキャップ１１の頂壁１２の開口部１３から突出したポンプ８のステム９にノズル筒６を横方向に延出したノズルヘッド５を嵌合固定したものである。
【００２１】
図３に示される補助部材２１は、組付きキャップ１１の円筒状の側周壁１４に外嵌する嵌合周壁部２２を有し、この嵌合周壁部２２の前部の上端部から外鍔状に係止板片２３を延設している。
また、この嵌合周壁部２２の形状は円筒の一部に縦方向にスリット２６を形成した形状であり、この嵌合周壁部２２の上端には内鍔状に係止周片２４が付設されており、さらに下端内周面には係止片２５が周突設されている。
【００２２】
次に、図２の注出容器に補助部材２１を装着する際には、まず、嵌合周壁部２２を、スリット２６を利用してノズルヘッド５の下方に位置する細い円筒状のステム９部分に横方向から外嵌状に嵌め込み、次に下方に移動させて組付きキャップ１１の上方から側周壁１４に外嵌状に組付け固定する。
この際、スリット２６により嵌合周壁部２２を拡径しながら装着することができるので、下端部に係止片２５が周設せれていても、その装着は容易に達成することができる。
なお、一端、ノズルヘッド５を取り外し、嵌合周壁部２２を上方から組付きキャップ１１の側周壁１４に外嵌状に組付け固定することもできる。
【００２３】
図４は、嵌合周壁部２２を側周壁１４に外嵌状に組付け固定した状態における、補助部材２１の組付きキャップ１１への嵌合状態をみた縦断面図である。
この図に示されるように、係止片２５が側周壁１４の下端面に係止して、補助部材２１の組付きキャップ１１に対する上方への移動を不能としている。
さらに、上端部に付設されている係止周片２４が組付きキャップ１１の頂壁１２に上方から係止するようになっており、補助部材２１の組付きキャップ１１への装着状態をより安定したものとしている。
【００２４】
このように、補助部材２１を組付けキャップ１１に装着した図１に示される第１実施例の注出容器では、図示されるように手Ｈの手の平が上向きなるようにして親指以外の指先を揃え、人差し指と中指を補助部材２１の係止板片２３に下方から当接した状態で、親指でノズルヘッド５を押し下げることにより、内容液Lを手の平の上に注出することができ、片手での注出操作を容易に達成することができる。
【００２５】
さらに詳述すると、人差し指等を係止板片２３に下方から当接させることにより、注出容器をしっかりと支持することができる共に、内容液Ｌが吐出するノズル筒６と、吐出する内容液Ｌを受け取る手の平の位置関係を安定して維持することができるので、注出操作を安定して実施することができる。
また、親指と、人差し指等によりノズルヘッド５と係止板片２３を挟持するような状態でノズルヘッド５に押圧力を効果的に作用させることができ、ノズルヘッド５の押し下げを比較的小さな力で実施することができる。
【００２６】
次に、図５は補助部材２１の他の例を示す斜視図である。この補助部材２１の特徴は図３に示される補助部材に比較して嵌合周壁部２２の周長を短くし、その平断面形状を略半円弧状とした点にある。
このような形状とすることにより、図２に示されるような従来のポンプ付き注出容器の組付きキャップ１１の側周壁１４に横方向から直接的に外嵌することができ、簡便に装着することができる。
【００２７】
なお、図５の補助部材２１では、嵌合周壁部２２の周長を半円弧状よりも若干長くするようしており（円弧の中心角度は２４０°である。）、こうすることにより補助部材２１が組付きキャップ１１から横方向に外れてしまうようなことを効果的に防ぐことができる。
また、このように嵌合周壁部２２の周長を半円弧状よりも若干長くしても、嵌合周壁部２２を拡径変形しながら、横方向から側周壁１４に直接、容易に外嵌、装着することができる。
【００２８】
次に、図６と図７は本発明の注出容器の第２実施例を示すものであり、図６は部分的に縦断して示す側面図（補助部材２１を縦断して示している。）、図７は図６の注出容器における補助部材２１の組付きキャップ１１への嵌合状態を示す平面図である。
なお、この注出容器は使用前にはノズルヘッド５を組付きキャップ１１の螺合部１５に螺合固定しておき、使用開始前にノズルヘッド５を回動して螺脱し、内蔵するスプリングにより図６のようにノズルヘッド５を上方に上昇変位させて使用するタイプのものである。
【００２９】
そして、本実施例の補助部材２１も図７に見られるように、図５の補助部材２１と同様に嵌合周壁部２２の周長を半円弧状よりも若干長くしたものであり（円弧の中心角度は２４０°である。）、容器本体１の口筒部２にポンプ８を組付け固定した状態の組付きキャップ１１に横方向から直接装着することができる。
また、この補助部材２１は図６、７から分かるように、係止周片２４と係止片２５により組付きキャップ１１に強固に組付き固定されている。
【００３０】
そして、この実施例の特徴は、ノズル筒６の先端部が係止板片２３の先端部２３ｔより外側に突出するように、係止板片２３の先端部２３ｔを凹状に基端方向に凹ませた形状とした（図６参照）、点にある。
内容液の粘度によってはノズル筒６の先端から内容液が下方に落下する場合があるが、上記構成によれば、このような場合にも内容液が係止板片に当たって付着するのを防止することができ、気持ちよく使用することができる。
【００３１】
以上、本発明の実施の形態を実施例に沿って説明したが、本発明の実施形態はこれら実施例に限定されるものではない。
たとえば、上記の実施例における組付けキャップ、ポンプ、ノズルヘッドは従来より使用されているものを組み合わせた例であり、本発明の注出容器に使用する補助部材は、従来から使用されている様々な形状のポンプ付き注出容器に対応することができる。
【産業上の利用可能性】
【００３２】
以上説明したように、本発明のポンプ付き注出容器は従来からあるポンプ付き注出容器に補助部材を装着することにより、片手での注出操作を可能にするものであり幅広い用途に展開することが期待される。
【図面の簡単な説明】
【００３３】
【図１】本発明の注出容器の第１実施例を示す斜視図である。
【図２】図１の中の注出容器において補助部材を装着していない状態を示す斜視図である。
【図３】図１中の補助部材の斜視図である。
【図４】図１の注出容器における補助部材の組付きキャップへの嵌合状態を示す縦断面図である。
【図５】補助部材の他の例を示す斜視図である。
【図６】本発明の注出容器の第２実施例を部分的に縦断して示す側面図である。
【図７】図６の注出容器における補助部材の組付きキャップへの嵌合状態を示す平面図である。
【符号の説明】
【００３４】
１  ；容器本体
２  ；口筒部
５  ；ノズルヘッド
６  ；ノズル筒
８  ；ポンプ
９  ；ステム
１１；組付きキャップ
１２；頂壁
１３；開口部
１４；側周壁
１５；螺合部
２１；補助部材
２２；嵌合周壁部
２３；係止板片
２３ｔ；先端部
２４；係止周片
２５；係止片
２６；スリット
Ｈ  ；手
【図１】
2010155623.tif 000003
【図２】
2010155623.tif 000004
【図３】
2010155623.tif 000005
【図４】
2010155623.tif 000006
【図５】
2010155623.tif 000007
【図６】
2010155623.tif 000008
【図７】
2010155623.tif 000009